(57)【特許請求の範囲】
【請求項１】
トンネルの内面に形成した覆工コンクリートをミストで養生するための養生方法であって、
覆工コンクリートの内壁面周辺を隔壁で覆って、養生空間を形成し、
超音波によってミストを発生するミスト発生装置を、養生空間外、且つトンネルの軸方向に向かって間隔を空けて複数配置し、
各ミスト発生装置から放出するミストの温度を、トンネルの切羽側から坑口側に向かって、徐々に低下させた状態で、ミストを養生空間のトンネル頂部側にのみ送風によって送り込むことを特徴とする、
覆工コンクリートの養生方法。
【請求項２】
トンネルの内面に形成した覆工コンクリートをミストで養生するための養生システムであって、
覆工コンクリートの内壁面周辺を覆うことで養生空間を形成する、隔壁と、
トンネルの軸方向に向かって間隔を空けて養生空間外に配置し、超音波によってミストを発生する、複数のミスト発生装置と、
各ミスト発生装置に供給する水の温度を制御可能な、制御装置と、
前記ミスト発生装置で発生させたミストを、前記養生空間のトンネル頂部側にのみ送り込む、送風機と、
を少なくとも具備し、
前記制御装置が、複数のミスト発生装置のうち、トンネルの切羽側に設けたミスト発生装置から、坑口側に設けたミスト発生装置に向かって、各ミスト発生装置に供給する水の温度を徐々に低下させることを特徴とする、
覆工コンクリートの養生システム。
【発明の詳細な説明】
【技術分野】
【０００１】
本発明は、トンネルの内面に形成した覆工コンクリートをミスト（霧）で養生するための養生システムおよび養生方法に関する。
【背景技術】
【０００２】
トンネルの内面に形成した覆工コンクリートの養生装置として、以下の特許文献に記載の装置が知られている。
特許文献１に記載の養生装置では、覆工コンクリートの内面に沿って密閉空間を形成し、該空間の内部に、超音波加湿器で発生した水蒸気を充満させることを特徴としている。
特許文献２に記載の養生装置では、覆工コンクリートの内面に沿って湿潤養生空間と温調養生空間の二層からなる養生空間を設けたことを特徴としている。
【先行技術文献】
【特許文献】
【０００３】
【特許文献１】特開２０００−７３６９６号公報
【特許文献２】特許第５４２９５６８号公報
【発明の概要】
【発明が解決しようとする課題】
【０００４】
上記特許文献に記載の養生装置には以下のような問題点や改善点がある。
（１）養生温度の管理の観点
特許文献１では、養生温度の管理のために、超音波加湿器の他に冷却器や加熱器を組み込んだ送風器で、冷風や温風を送り込む必要がある（段落００４２）。
特許文献２では、養生温度の管理のために、湿潤養生空間とは別に設けた温調養生空間を設ける必要がある（請求項５）。
（２）養生場所に伴う制御方法の観点
特許文献１，２の何れも、トンネルの軸方向に対する温度の可変制御についての示唆が無い。
例えば、特許文献２に記載の養生装置では、トンネルの上半部と下半部とで養生条件を変更する点が開示されているにすぎない（請求項６）。
【０００５】
本発明は、簡易な構造でありながら利便性に優れる、覆工コンクリートの養生方法及び養生システムを提供することを目的の一つとする。
【課題を解決するための手段】
【０００６】
上記の問題点を解消すべくなされた本願の第１発明は、トンネルの内面に形成した覆工コンクリートをミストで養生するための養生方法であって、覆工コンクリートの内壁面周辺を隔壁で覆って、養生空間を形成し、超音波によってミストを発生するミスト発生装置を、養生空間外、且つトンネルの軸方向に向かって間隔を空けて複数配置し、各ミスト発生装置から放出するミストの温度を、トンネルの切羽側から坑口側に向かって、徐々に低下させた状態で、ミストを養生空間のトンネル頂部側にのみ送風によって送り込むことを特徴とする、覆工コンクリートの養生方法を提供する。
また、本願の第２発明は、トンネルの内面に形成した覆工コンクリートをミストで養生するための養生システムであって、覆工コンクリートの内壁面周辺を覆うことで養生空間を形成する、隔壁と、トンネルの軸方向に向かって間隔を空けて養生空間外に配置し、超音波によってミストを発生する、複数のミスト発生装置と、各ミスト発生装置に供給する水の温度を制御可能な、制御装置と、前記ミスト発生装置で発生させたミストを、前記養生空間のトンネル頂部側にのみ送り込む、送風機と、を少なくとも具備し、前記制御装置が、複数のミスト発生装置のうち、トンネルの切羽側に設けたミスト発生装置から、坑口側に設けたミスト発生装置に向かって、各ミスト発生装置に供給する水の温度を徐々に低下させることを特徴とする、覆工コンクリートの養生システムを提供する。
【発明の効果】
【０００７】
本発明によれば、以下に記載する効果を奏する。
（１）打設作業から時間が経過した覆工コンクリート周辺は、切羽側の覆工コンクリートから坑口側へと離れていくにつれて、徐々に養生温度を下げることで、覆工コンクリートの急激な温度変化を防ぐことができる。よって、覆工コンクリートのひび割れの発生などの問題を抑止することができる。
（２）ミスト発生装置に供給する水の温度を調整自在とすることで、発生するミストそのものの温度を直接制御して養生することができる。
【図面の簡単な説明】
【０００８】
【図１】本発明に係る養生方法の使用状態を示す概略図。
【図２】本発明に係る養生システムの構成を示す概略図。
【発明を実施するための形態】
【０００９】
以下、本願発明の実施例について説明する。
【実施例１】
【００１０】
図１は、本発明に係る覆工コンクリートの養生方法の実施状態を示す。
図１に示す通り、本発明は、山岳トンネルなどのトンネルＡの内面を構成する二次覆工コンクリートなどの覆工コンクリートＢの養生を行うに際し、トンネルＡの切羽側Ｘから、坑口側Ｙにかけて、養生空間Ｃ（Ｃ１〜Ｃ４）内に送るミスト（霧）の温度を、徐々に低下させることを特徴とするものである。
【００１１】
養生空間の全長や分割数、各養生空間の分割長さや養生温度、温度の低下態様などは、覆工コンクリートＢの構築スケジュールや、必要な養生期間、養生に適した温度管理などの諸条件に応じて、適宜決定することができる。
【００１２】
ミストの供給には、公知のミスト発生装置を用いることができ、これらのミスト発生装置の中から、使用現場に適した装置を採用すればよい。
また、放出ミストの温度の制御方法は、水の温度を予め制御してからミスト発生装置に供給する方法や、ミスト発生装置内で水を所定の温度に加温してからミストを生成する方法や、生成後のミストを放出するための送風の温度を制御する方法などが考えられる。
【００１３】
次に、養生方法の手順例について説明する。
まず、覆工コンクリートＢの打設が完了し、養生を要する空間（養生空間Ｃ）を、トンネルの軸方向に所定間隔を設けて分割する。
この分割後の養生空間のうち、切羽側Ｘに近い養生空間は、坑口側Ｙに近い養生空間よりも、相対的に覆工コンクリートＢの打設から時間が経過していない状態である。
そこで、打設直後の切羽側Ｘの覆工コンクリート周辺の養生空間Ｃ１から、坑口側Ｙの養生空間（Ｃ２，Ｃ３，Ｃ４）に向かって、順次各ミスト発生装置に供給する水の温度を下げ、養生空間内の温度が下がるように構成する（ｔ１＞ｔ２＞ｔ３＞ｔ４）。
【００１４】
上記養生方法によれば、打設作業から時間が経過した覆工コンクリートＢ周辺の養生空間Ｃについて徐々に養生温度を下げることで、覆工コンクリートＢの急激な温度変化を防ぐことができる。
よって、覆工コンクリートＢのひび割れの発生などの問題を抑止することができる。
【実施例２】
【００１５】
次に、本発明に係る養生システムの一例について説明する。
図２は、本発明に係る養生システムの構成を示す概略図である。
本発明に係る養生システムは、トンネルＡの軸方向に向かって間隔を空けて配置する、複数のミスト発生装置１０と、各ミスト発生装置１０に供給する水の温度を制御可能な、制御装置２０と、を少なくとも具備して構成する。
なお、図２では、覆工コンクリートの内壁面周辺の空間を密閉するための隔壁３０を設け、前記隔壁で覆われた空間内を養生空間Ｃとして、該養生空間Ｃ内にミスト発生装置１０で生成したミストを送るためのダクト１１を設けているが、本発明に必須の構成ではなく、自由空間上を養生空間Ｃとしてミストを放出する構成であってもよい。
以下、各構成要素の詳細について説明する。
【００１６】
ミスト発生装置１０は、覆工コンクリートＢを打設した空間を湿潤空間とするための装置である。
ミスト発生装置１０は、公知のミスト発生装置を用いることができ、これらのミスト発生装置の中から、使用現場に適した方法を採用すればよい。
本実施例では、ミスト発生装置１０として、超音波によって霧（ミスト）を発生させる装置を用いている。
【００１７】
制御装置２０は、各ミスト発生装置１０に供給する水の温度を制御するための装置である。
制御装置２０は、ミスト発生装置１０に供給する水を加熱する加熱装置（図示せず）を制御する態様とすることができる。
制御装置２０は、各ミスト発生装置１０にそれぞれ設ける構成や、ミスト発生装置１０自身が温度調整機能を備えている場合には、それらを一括して制御可能な構成を採用することができる。
また、制御装置２０は、同一の養生空間Ｃにおいて、養生の開始から、時間の経過に応じて徐々にミストの温度を下げるように自動制御する態様であっても良い。
このように、制御装置２０によって、ミスト発生装置に供給する水の温度を調整自在とすることで、発生するミストそのものの温度を直接制御して養生することができる点で好ましい。
【００１８】
本発明に係る養生システムの変形例について以下説明する。
（１）自由空間へのミスト放出
本発明に係る養生システムは、図２に示すダクト１１および隔壁３０を省略し、自由空間上を養生空間Ｃとしてミストを放出する構成であってもよい。
（２）送風器および排気装置の設置
本発明に係る養生システムは、その他ミスト発生装置１０から養生空間Ｃにミストを送るための送風機や、養生空間Ｃからミストを排気するための排気装置などを設けることもできる。
（３）移動装置の設置
本発明に係る養生システムは、該養生システムを構成する装置の一部又は全部の装置を搭載可能な移動装置を設け、覆工コンクリートＢの構築に併せて適宜移動自在とした構成としてもよい。
（４）各装置の統合または分割
本発明に係る養生システムを構成する各装置は、独立した装置からなる構成としてもよいし、各装置をまとめて一体化した装置としてもよいし、各装置の一部を分離してさらに別体の装置とする構成としてもよい。
【符号の説明】
【００１９】
１０  ミスト発生装置
１１  ダクト
２０  制御装置
３０  隔壁
Ａ    トンネル
Ｂ    覆工コンクリート
Ｃ    養生空間
Ｘ    切羽側
Ｙ    坑口側
ｔ    養生温度
【図１】
0006612501.tif 000002
【図２】
0006612501.tif 000003